(57)【要約】      （修正有）【課題】一つの打面に２オクターブ以上の音域を備えた、唸りの少ない音色のハンクドラムを提供する。【解決手段】ハンクドラム１５の打面に、低音キー２１の音程と配置が五度圏になるように設ける。各低音キー２１の周りに、それぞれの低音キー２１の２倍音となる同音名の高音キー２２を同じく五度圏になるように設ける。更に、各高音キー２２の隣に、それぞれの高音キー２２の２倍音となる同音名の最高音キー２３を設ける。また各キーの長手面の隣に凹部ａ１、または凸部の少なくともいずれか一方を設ける。【選択図】図１
2017116898.tif 000002
【特許請求の範囲】
【請求項１】
ハンクドラムの打面に、五度圏になるよう設けられた複数の低音キーと、前記複数の低音キーの周りに、それぞれの前記低音キーの２倍音となる複数の高音キーを同じく五度圏になるように設けたハンクドラム。
【請求項２】
請求項１に記載の低音キーと高音キーの先端部が打面の中央の方を向き、前記低音キーと前記高音キーの基端部が前記打面の外側の方を向いていることを特徴とするハンクドラム。
【請求項３】
請求項１と請求項２に記載のハンクドラムにおいて、低音キーと高音キーの配置が、同音名である前記低音キーと前記高音キーを、打面の中央から外側にかけて直線状に並んで設けていることを特徴とするハンクドラム
【請求項４】
請求項１から請求項３に記載のハンクドラムにおいて、高音キーの隣に、前記高音キーの２倍音になる同音名の最高音キーを設けたことを特徴とするハンクドラム。
【請求項５】
請求項４に記載のハンクドラムにおいて、前記高音キーの隣とは、前記高音キー同士の間の部分であることを特徴とするハンクドラム。
【請求項６】
請求項４と請求項５に記載の最高音キーの先端部側が、前記打面の外側の方を向いており、前記最高音キーの基端部側が前記打面の中央の方を向いて設けられていることを特徴とするハンクドラム。
【請求項７】
請求項１から請求項６に記載のハンクドラムにおいて、片持ち梁状の発音体であるキ−の長手方向の隣の部分に凹部、または凸部の少なくともいずれか一方を設けていることを特徴とするハンクドラム。
【請求項８】
請求項７に記載の凹部が、片持ち梁状の発音体であるキ−の長手方向の隣の部分に、前記キーの前記長手方向に沿って細長形状の凹んでいることを特徴とするハンクドラム。
【請求項９】
請求項７に記載の凸部が、片持ち梁状の発音体であるキ−の長手方向の隣の部分に、前記キーの前記長手方向に沿って細長形状の凸していることを特徴とするハンクドラム。
【請求項１０】
請求項７から請求項９に記載の凹部、及び凸部の内側にエンボス加工を施していることを特徴とするハンクドラム。
【請求項１１】
請求項７から請求項１０に記載のキーが低音キーであることを特徴とする。
【請求項１２】
請求項７から請求項１０に記載のキーが全てのキーであることを特徴とする。
【発明の詳細な説明】
【技術分野】
【０００１】
本発明は旋律打楽器に関するもので、特に金属製のタングドラムに適用できるものである。
【背景技術】
【０００２】
現在、金属製のタングドラムで主流なものはハンクドラムである。ハンクドラムとは主にプロパンガスのタンク自体に、またはタンクの底部の部材を張り合わせたＵＦＯ型の空洞体に、貫通したスリット状の穴によって、タングドラムに特徴的な片持ち梁状の発音部であるキーを設けたものでタンクドラムやスティールタングドラムとも呼ばれる。奏法は主に手やマレットなどで キーを打鍵して演奏する。同じように手で打鍵することが可能な金属製の旋律打楽器である非特許文献４に記載のハングドラムの安価な代替品として購入するユーザーも多い。
【０００３】
尚、なんらプロパンガスのタンクを利用していなくても曲面の打面に片持ち梁状のキーを設けており、金属製のタングドラムであれば、それらをスティールタングドラム、またはタンクドラム、またはハンクドラムと呼ぶ
【０００４】
従来の打面が平らな金属製のタングドラムとの違いは、ハンクドラムが備えられた複数のキーを異なる音の高さに調律可能なことに対し、打面が平らな金属製のタングドラムが発音するのは主に噪音で、複数のキーを異なる音の高さに調律することが困難である。
【０００５】
従来のハンクドラムは非特許文献１に記載のハンクドラムのようにキーが８個から１０個設けられており、音階がペンタトニックスケールやその他のスケールなどに調律された物が主流 である。そのほかのものでは、非特許文献２記載したハンクドラムのような、一つの打面にキーを約１２から１５個備えている音域が１オクターブぐらいのものもある。また非特許文献３に記載したハンクドラムは、複数のタングドラムを１セットとして、約１８から２４個のキーを設けることでクロマティックで１オクターブ半から２オクターブの音域を備えている。これは、同じ打面のキーの数を少なくすることに加え、唸りが発生しやすく相性の悪い音程のキーが隣同士になって干渉しあわないように別々の打面に設けることで、耳障りな音を発生させいないようにしている。
【先行技術文献】
【非特許文献】
【０００６】
【非特許文献１】表題：HAPI SLIM Drum (Longer Demo Version) with Original and UFO, with outtakes and Bloopers、掲載年月日：２０１０年６月３０日、掲載者：Hapi Drums HapiTones.com、インターネットＵＲＬ<https://www.youtube.com/watch?v=XE51l6ZTKIU>
【非特許文献２】表題：Rockcreek Steel Drums Presents The Single and Double Tank Drum .wmv、掲載年月日：２００８年11月25日、掲載者：steeldrumbuilder、インターネットＵＲＬ：<https://www.youtube.com/watch?v=VNIxwjvBelM>表題：Rockcreek Steel Drums/Steel Tongue Drums、掲載年月日：不明、掲載者：Kevin Martin、検索年月日：２０１5年6月２５日、インターネットＵＲＬ：<http://www.rockcreeksteeldrums.com/tonguedrums/>
【非特許文献３】表題：Rockcreek Steel Drums Presents The Single and Double Tank Drum .wmv、掲載年月日：２００８年11月25日、掲載者：steeldrumbuilder、インターネットＵＲＬ：<https://www.youtube.com/watch?v=VNIxwjvBelM>
【非特許文献４】表題：PANArt Hang documentary 2006: HANG - a discreet revolution、掲載年月日：２００１４年８月１８日、掲載者：hangblog、インターネットＵＲＬ：<https://www.youtube.com/watch?v=AmgQKJxJsco>
【発明の概要】
【発明が解決しようとする課題】
【０００７】
従来のハンクドラムは音域が狭いため、表現力が乏しくユーザーに飽きられやすい。また、複数のハンクドラムを１セットとして音域を広げたものもあるが、操作性が悪く、重たく嵩張り、身体的にも経済的にもユーザーの負担となる等の問題があった。
【課題を解決するための手段】
【０００８】
上記の課題を解決するため、第１の発明はハンクドラムの打面に、複数の低音キーを音程と配置が五度圏に成るように打面に設ける。そして前記複数の低音キーの周りにそれぞれの前記低音キーの２倍音となる複数の高音キーを同じく音程と配置が五度圏になるように設ける。
【０００９】
本発明により、一つの打面に２オクターブ以上の音域を備えた、唸りの少ない音色のハンクドラムを提供することができる。これにより一 つのハンクドラムであらゆる曲に対応でき、また、本発明のキー配置により、和音を奏でやすいだけではなく、移調、または転調しやすく、楽器初心者でも直ぐに即興でメロディを奏でることができる。
【００１０】
第７の発明により、キーを打鍵した際に、共振して唸りの原因となる倍音を発生させやすい部分である、片持ち梁状に設けられたキーの長手方向の隣の部分に、凹部、または凸部の少なくともどちらか一方を設けることにより、前記キーの長手方向の隣の部分の剛性が向上することで振動しづらくなるため、唸りの原因となる余計な倍音の発生を抑えることが出来、かつ明瞭な音色のキーを備えたハンクドラムを提供することが出来る。また、従来は軽量化のめに打面の板厚を薄くすると、キーを打鍵した際に音の輪郭がぼやけたり、加えて唸りが発生しやすくなるなどの問題があったが、本発明により音質を損なわずに軽量化することが可能となる。
【００１１】
本発明により、音域の違う同音名のキーを同時に叩くことで、また、その際に周辺にある叩かれていないキーにも振動が伝わり共振してわずかに音を出すこともあり、ハングドラムやスティールパンに近い音色を奏でることが可能となる。これはハングドラムやスティールパンの調律が一つの音盤を調律する 際に基音となる音に対し、２倍音と、４倍音と、ハーモニクスとなる３倍音などを調律して音色を作るからで、またそれに加え材質も同じ金属ということも手伝い倍音成分が近似するためである。
【発明の効果】
【００１２】
本発明によって、従来では不可能とされていた、一つの打面で２オクターブ以上の音域をもつハンクドラムの提供が可能となり、ハンクドラムの操作性と演奏性と表現力が向上し、また更に軽量化と低コスト化により、ユーザへの身体的負担と経済的負担を軽減することができる。
【図面の簡単な説明】
【００１３】
【図１】本発明の第１の実施の形態を示す正面図である。
【発明を実施するための形態】
【００１４】
図１は本発明をハンクドラムに適用した第１の実施の形態を示す正面図である。１５はハンクドラム本体で、２１は低音キーで、２２は高音キー、２３は最高音キー、ａ１は細長形状の凹部である。
【００１５】
ハンクドラム１５の打面の中央よりに１２個の低音キー２１を、音名と配置が五度圏になるよう設ける。そ して前記各低音キー２１の周りに、それぞれの前記低音キー２１の２倍音となる１２個の高音キー２２も同じく音名と配置を五度圏になるように設ける。そして、各高音キー２２同士の間に、隣り合うどちらかの高音キー２２の２倍音で同音名である最高音キー２３を設ける。同音名の低音キー２１と高音キー２２は打面の中央から外側にかけて直線状になるように設ける。このようにキー配置をするのは、キーの視認性を良くし、加えてキー配置に規則性を持たせることで直感的な演奏を可能にするためである。また、同音名の低音キー２１と高音キー２２を叩いて和音を奏でる事が容易になる。
【００１６】
本実施形態のように打面の中央よりに音の低いキーを設け、音の高いキーを打面の外側に設けたほうが逆に設けるよりもキーが振動しやすく、各キーが基音のはっきりした明瞭な音色に成るので好ましい。
【００１７】
それぞれの各キー間の距離は、人間の片方の手のひらで、同音名の低音キー２１ と高音キー２２と最高音キー２３の３つを叩ける距離にするのが望ましい。これは、ユーザーが同音名の高音キー２２ と最高音キー２３を同時に打鍵して和音を奏でやすく、且つ、同音名の低音キー２１と高音キー２２と最高音キー２３の３つを同時に打鍵できる距離に設けることにより、 その周辺のキーもあわせて打鍵できるようにすることで複雑な和音を奏でやすくするためである。
【００１８】
また、それぞれのキーの向きは低音キー２１と高音キー２２の先端部側は打面の中央に向き、基端部側は打面の外側に向くように設ける。最高音キー２３は基端部側を中央の方向け、先端部側を打面の外側を向くように形成する。最高音キー２３の向きはこれに限らず、他のキーと同じように先端部 側を中央に向かうように設けてもよいが、キーの長さが短い場合は振動しにくいことがあるので、そのような場合は本実施例のように最高音キー２３を設けるの が振動しやすく好ましい。
【００１９】
尚、各音域のキー配置は五度圏になっていればよく、根音つまり最も音の低いキーはどの音名でも構わない。また、本実施形態では、各音域のキーが１２個になっているが、これは何等限定されるものでは無く、同音名のキーなら連続して２つ以上並べてもかまわない。
【００２０】
凹部ａ１は図１に示すように各キーとキーの間に、両隣のキーの長手面に沿うように設けるため細長形状が好ましい。尚、凹部ａ１の長さは隣り合うキーの長手方向の長さと一緒でなくてもかまわない。
【００２１】
凹部ａ１の細長形状とは。例えば、本実施形態の図１のように角丸長方形状に限らず、楕円形状、矩形状、菱形、極端な例だと矢印や雷マークなど細長い形状であれば何でもかまわないし、また、凹部ａ１を平行に連続して設けてもなんらかまわない。
【００２２】
凹部ａ１の部分の剛性を更に高めて振動を抑制するため、凹部ａ１の内側にエンボス加工を施してもかまわない。
【００２３】
また、凹部ａ１は必ずしも図１のように設ける必要なく、例えば、最も剛性の低くなりがちな各低音キー２１同士の間に設けていれば、その他の凹部ａ１は必ずしも図１のように設ける必要は無いし、また、打面に剛性が十分にあり、キー以外の部分がキーの共振によって唸りの原因となる倍音を発しない場合は凹みａ１をハンクドラムに全く 設けなくてもかまわない。
【００２４】
また、凹部ａ１を設ける場所も補強が必要と考えられる場所があれば上記以外の場所に設けても何等問題はない。例えば、唸りの原因となっている部分を突き止め、その部分にのみ凹部ａ１設けても構わない。またこのとき、凹みａ１の形状で前記細長形状以外に振動を抑制するために適切な形状があれば、その形状で凹部ａ１を設けるのが好ましい
【００２５】
尚、凹部ａ１はハンクドラム内部に向かって凹んでいる形状になんら限定されるものではなく、打面から隆起している凸形状に設けても同様の効果を発揮する。
【００２６】
本実施形態では各音域のキーの配置が五度圏になっているが、これは５度と４度が右回りでも左周りでも何等問題ない。
【００２７】
本発明のハンクドラムの材質は、なんら金属に限定されるものではなく、従来の木製のタングドラムよりもキーの余韻が長くなる材料、例えば、繊維強化ガラス、石材、セラミックス、繊維強化セラミックス、樹脂、強化樹脂、及び繊維強化樹脂などでも同様の効果を発揮する。
【符号の説明】
【００２８】
ａ１  凹部
１５  ハンクドラム本体
２１  低音キー
２２  高音キー
２３  最高音キー
【図１】
2017116898.tif 000003